(57)【特許請求の範囲】
【請求項１】
管体（Ｐ）の内部を調査する調査器具（Ｅ）を、水密状態を確保しつつ前記管体（Ｐ）内に送り込むための止水機構において、
前記管体（Ｐ）と前記調査器具（Ｅ）を管体（Ｐ）内に送り込む筒体（２）との間の水密を確保する筒体止水部（１）を備え、この筒体止水部（１）が、筒体止水部本体（３）と、筒体シール部材（４）と、筒体シール押さえ部材（５）とを有し、
前記筒体シール部材（４）が切れ目のない環状をしており、前記筒体止水部本体（３）に設けた前記筒体シール部材（４）に前記筒体（２）を挿し込んで前記管体（Ｐ）に通水し、その通水に伴う水圧によって前記筒体シール部材（４）を前記筒体シール押さえ部材（５）に押さえ付け、その押圧力によって前記筒体シール部材（４）を扁平状に変形して、この筒体シール部材（４）によって、前記筒体止水部（１）からの漏水を防止するようにしたことを特徴とする止水機構。
【請求項２】
前記筒体止水部本体（３）と、前記筒体止水部（１）に接続する本管側のフランジ（８）との間に、前記筒体（２）の直径と略同径の貫通孔を形成したフランジパッキン（６）を介在させたことを特徴とする請求項１に記載の止水機構。
【請求項３】
前記調査器具（Ｅ）のケーブル（Ｃ）と前記筒体（２）との間の水密を確保するケーブル止水部（１１）を備え、このケーブル止水部（１１）が、ケーブル止水部本体（１２）と、ケーブル止水部（１１）の受け部（２２）との間に、前記ケーブル（Ｃ）の直径と略同径の貫通孔（２４）を形成したケーブルパッキン（１５）を介在させたものであって、このケーブルパッキン（１５）にケーブル（Ｃ）軸方向の押圧力を付与し、その押圧力によって、前記貫通孔（２４）の内面と前記ケーブル（Ｃ）の外周面とを密接させて、前記ケーブル止水部（１１）からの漏水を防止するようにし、前記ケーブル止水部本体（１２）とフランジ（１８）との間にシール部材（１７）が介するようにし、前記ケーブル止水部本体（１２）と前記フランジ（１８）との間に、前記フランジ（１８）よりも前記ケーブル止水部本体（１２）が下向きに突出する段差を形成し、この段差によって、前記ケーブルパッキン（１５）に、その外径側よりも内径側でケーブル軸方向の強い前記押圧力を作用させたことを特徴とする請求項１又は２に記載の止水機構。
【請求項４】
管体（Ｐ）の内部を調査する調査器具（Ｅ）を、水密状態を確保しつつ前記管体（Ｐ）内に送り込むための止水機構において、
前記調査器具（Ｅ）のケーブル（Ｃ）と前記筒体（２）との間の水密を確保するケーブル止水部（１１）を備え、このケーブル止水部（１１）が、ケーブル止水部本体（１２）と、ケーブル止水部（１１）の受け部（２２）との間に、前記ケーブル（Ｃ）の直径と略同径の貫通孔（２４）を形成したケーブルパッキン（１５）を介在させたものであって、このケーブルパッキン（１５）にケーブル（Ｃ）軸方向の押圧力を付与し、その押圧力によって、前記貫通孔（２４）の内面と前記ケーブル（Ｃ）の外周面とを密接させて、前記ケーブル止水部（１１）からの漏水を防止するようにし、前記ケーブル止水部本体（１２）とフランジ（１８）との間にシール部材（１７）が介するようにし、前記ケーブル止水部本体（１２）と前記フランジ（１８）との間に、前記フランジ（１８）よりも前記ケーブル止水部本体（１２）が下向きに突出する段差を形成し、この段差によって、前記ケーブルパッキン（１５）に、その外径側よりも内径側でケーブル軸方向の強い前記押圧力を作用させたことを特徴とする止水機構。
【発明の詳細な説明】
【技術分野】
【０００１】
この発明は、水道管等の管体の内部を調査する調査器具を、水密状態を確保しつつ前記管体内に送り込むための止水機構に関する。
【背景技術】
【０００２】
水道管等の管体の内部を調査する調査器具は、管体に挿し込まれた筒体の中に通されて、この筒体の一端側から調査対象箇所まで送り込まれる。そして、この調査器具のケーブルは、筒体の他端側から引き出されて観察装置に接続される。
【０００３】
この調査に際しては、水道等の利用者の不便とならないように、管体に水等の流体を流通させた状態のまま行うことが多い。このため、管体への筒体の挿し込み部、及び、筒体からのケーブルの引き出し部において水漏れが生じやすい。この水漏れを防止するため、前記挿し込み部あるいは引き出し部に止水機構を設けて、この水漏れを防止するのが一般的である。この止水機構として、管体の受け口内面に周溝を形成し、この周溝にシール部材（Ｏリング等）を嵌め込み、この受け口に筒体を挿し込むようにした構成が採用できる。
【０００４】
この構成においては、管体と筒体との間の水密性を確保するために、筒体の外径よりも若干小さい内径のシール部材を用いることが多い。この場合、このシール部材が筒体の挿し込みの抵抗となって、その挿し込み作業がスムーズにできない場合がある。筒体とケーブルとの間の止水機構についても同様のことが言える。
【０００５】
そこで、特許文献１に示す構成においては、周方向の一部に切れ込みを形成したシール部材を採用している。このシール部材は、管体への筒体の挿し込みがほぼ完了した段階で、その切れ込みを開くことによって筒体に直接設けられる。このようにすれば、シール部材が挿し込みの抵抗となりにくく、スムーズにその挿し込み作業を行うことができる。
【先行技術文献】
【特許文献】
【０００６】
【特許文献１】特開２００９−２２２８１３号公報
【発明の概要】
【発明が解決しようとする課題】
【０００７】
特許文献１の構成においては、シール部材に切れ込みを形成しているため、この切れ込みを通って漏水する恐れがあり、水密性の確保の点で問題がある。
【０００８】
そこで、この発明は、シール部材等による水密性を確保しつつ、筒体等の挿し込み作業をスムーズになし得るようにすることを課題とする。
【課題を解決するための手段】
【０００９】
上記の課題を解決するため、この発明は、管体の内部を調査する調査器具を、水密状態を確保しつつ前記管体内に送り込むための止水機構において、前記管体と前記調査器具を管体内に送り込む筒体との間の水密を確保する筒体止水部を備え、この筒体止水部が、筒体止水部本体と、筒体シール部材と、筒体シール押さえ部材とを有し、前記筒体シール部材が切れ目のない環状をしており、前記筒体止水部本体に設けた前記筒体シール部材に前記筒体を挿し込んで前記管体に通水し、その通水に伴う水圧によって前記筒体シール部材を前記筒体シール押さえ部材に押さえ付け、その押圧力によって前記筒体シール部材を扁平状に変形して、この筒体シール部材によって、前記筒体止水部からの漏水を防止するように止水機構を構成した。
【００１０】
この構成においては、筒体の外径とほぼ同じ内径の筒体シール部材を用いる。この筒体シール部材は、筒体止水部本体と筒体の両方に当接した状態となっている。管体への通水前においては、筒体シール部材は元の形状（例えば、断面円形のドーナツ形状）をしており、筒体止水部本体及び筒体への筒体シール部材の密接力は比較的小さい。このため、筒体シール部材にスムーズに筒体を挿し込むことができる。その一方で、通水を開始すると、その水圧によって前記筒体シール部材が筒体シール押さえ部材に押さえ付けられ、その押圧力でこの筒体シール部材の断面が扁平に変形する。すると、筒体シール部材と、筒体止水部本体及び筒体との間の密接力が高まる。しかも、この筒体シール部材の変形は通水開始後直ちに生じるため、水密性に対する信頼性が高い。また、筒体シール部材として、切れ目のない環状のものを採用したので、この切れ目から漏水する恐れがない。
【００１１】
前記構成においては、前記筒体止水部本体と、前記筒体止水部に接続する本管側のフランジとの間に、前記筒体の直径と略同径の貫通孔を形成したフランジパッキンを介在させるのが好ましい。
【００１２】
前記筒体シール部材は、主として筒体止水部の上部からの漏水を防止する一方で、このフランジパッキンは、主として筒体止水部の下部からの漏水を防止する。このように、筒体シール部材とフランジパッキンを併用することによって、筒体止水部における水密性を一層向上することができる。この筒体止水部は、本管側に設けられた排水フランジや消火栓の取り付け用フランジ等の、種々のフランジに接続可能である。
【００１３】
前記各構成においては、前記調査器具のケーブルと前記筒体との間の水密を確保するケーブル止水部を備え、このケーブル止水部が、ケーブル止水部本体と、ケーブル止水部の受け部との間に、前記ケーブルの直径と略同径の貫通孔を形成したケーブルパッキンを介在させたものであって、このケーブルパッキンにケーブル軸方向の押圧力を付与し、その押圧力によって、前記貫通孔の内面と前記ケーブルの外周面とを密接させて、前記ケーブル止水部からの漏水を防止するようにし、前記押圧力が、このケーブルパッキンの径方向の幅中心よりも内径側で最大となる構成とすることができる。
【００１４】
この調査器具は、ケーブルの抜き挿しによって調査対象箇所まで案内されるが、ケーブル止水部における水密性の確保が重要である。ケーブルパッキンにケーブル軸方向の押圧力を付与すると、このケーブルパッキンが扁平に変形してケーブルとの間の密接力が高まる。これらの両密接力の作用によって、高い水密性を確保することができる。その一方で、ケーブルパッキンへの押圧力を解除すると、ケーブルパッキンと、ケーブルとの間の密接力が小さくなって、ケーブルを容易に抜き挿しすることができる。
【００１５】
また、内径側で強く押圧することにより、ケーブルパッキンの変形量がこの内径側で特に大きくなり、このケーブルパッキンの貫通孔の内径面と、ケーブルの外周面との密接度合いが一層高まる。このため、ケーブル止水部における止水作用がさらに向上する。この内径側の押圧力を高める手法として、ケーブルパッキンに直接当接するケーブル止水部本体や、ケーブルパッキンを保持する受け部に、このケーブルパッキン側に凸状の段差を有する段部を形成したり、ケーブル止水部本体とケーブルパッキンとの間にシール部材を挟み込んだりすることが考えられる。
【００１６】
前記各構成とする代わりに、管体の内部を調査する調査器具を、水密状態を確保しつつ前記管体内に送り込むための止水機構において、前記調査器具のケーブルと前記筒体との間の水密を確保するケーブル止水部を備え、このケーブル止水部が、ケーブル止水部本体と、ケーブル止水部の受け部との間に、前記ケーブルの直径と略同径の貫通孔を形成したケーブルパッキンを介在させたものであって、このケーブルパッキンにケーブル軸方向の押圧力を付与し、その押圧力によって、前記貫通孔の内面と前記ケーブルの外周面とを密接させて、前記ケーブル止水部からの漏水を防止するようにし、前記押圧力が、このケーブルパッキンの径方向の幅中心よりも内径側で最大となるように止水機構を構成することもできる。
【００１７】
本構成のようにケーブルパッキンにケーブル軸方向の押圧力を付与すると、上述したように、ケーブルパッキンの貫通孔の内径面とケーブルの外周面との間が密接し水密性が大幅に向上する。その一方で、前記押圧力を解除すると、前記密接も解除されて、ケーブルの抜き挿しを容易に行うことができる。
【００１８】
さらに、このように内径側で強く押圧することにより、ケーブルパッキンの変形量がこの内径側で特に大きくなり、このケーブルパッキンの貫通孔の内径面と、ケーブルの外周面との密接度合いが一層高まる。このため、ケーブル止水部における止水作用がさらに向上する。この内径側の押圧力を高める手法として、ケーブルパッキンに直接当接するケーブル止水部本体や、ケーブルパッキンを保持する受け部に、このケーブルパッキン側に凸状の段差を有する段部を形成したり、ケーブル止水部本体とケーブルパッキンとの間にシール部材を挟み込んだりすることが考えられる。
【発明の効果】
【００１９】
この発明は、調査対象の管体と調査器具を送り込む筒体との間、又は、前記管体と調査器具のケーブルとの間の水密を確保すべく、筒体止水部本体に筒体シール部材を、又は、ケーブル止水部本体にケーブルパッキンを設け、筒体又はケーブルをこの筒体シール部材又はケーブルパッキンに挿し込んだ上で、この筒体シール部材又はケーブルパッキンを変形して筒体又はケーブルの外周面に密接させ、筒体止水部又はケーブル止水部からの漏水を防止するようにした。このようにすれば、筒体又はケーブルを両止水部にスムーズに抜き挿しすることができるとともに、高い水密性を確保することができる。
【図面の簡単な説明】
【００２０】
【図１】本願発明に係る止水機構（筒体止水部）を示す縦断面図
【図２】筒体止水部の止水作用を示す縦断面図であって、（ａ）はシール部材の押さえ付け前、（ｂ）はシール部材の押さえ付け後
【図３】本願発明に係る止水機構（ケーブル止水部）の一例を示す縦断面図
【図４】図３に示したケーブル止水部の分解斜視図
【図５】本願発明に係る止水機構（ケーブル止水部）の他例を示す縦断面図
【図６】本願発明に係る止水機構（ケーブル止水部）のさらに他例を示す縦断面図
【図７】本願発明に係る止水機構（筒体止水部及びケーブル止水部）を適用した検査装置の全体構成を示し、（ａ）は正面図、（ｂ）は側面図
【発明を実施するための形態】
【００２１】
この発明に係る止水機構を構成する筒体止水部１の一実施形態を図１及び図２に示す。この止水機構は、水道管等の管体Ｐの内部を調査するカメラ等の調査器具Ｅを、水密状態を確保しつつ管体Ｐ内に送り込むためのものであって、管体Ｐと調査器具Ｅを管体Ｐ内に送り込む筒体２との間の水密を確保する筒体止水部１が、筒体止水部本体３と、筒体シール部材４と、筒体シール押さえ部材５と、フランジパッキン６とを備えている。筒体シール部材４は、切れ目のない環状をしており、筒体止水部本体３の内面に形成された段差部７に設けられている。この筒体シール部材４の内径は筒体２の外径とほぼ同じである。また、フランジパッキン６の中心に形成される貫通孔の直径も、筒体２の外径とほぼ同じである。このため、筒体シール部材４及びフランジパッキン６に、スムーズに筒体２を通すことができる。この筒体止水部１は、フランジパッキン６を介して、排水フランジ８にボルト９で固定されている。
【００２２】
筒体シール押さえ部材５には調節ねじ１０が設けられており、この調節ねじ１０を筒体止水部本体３にねじ込むことによって、筒体シール押さえ部材５が筒体止水部本体３に固定される。この固定状態において、筒体シール部材４と筒体シール押さえ部材５との間には若干の隙間（２〜３ｍｍ程度）が生じている。このように隙間を設けることで、筒体２の抜き挿しを容易に行うことができる。このとき、筒体シール部材４は、筒体止水部本体３と筒体２の両方に当接した状態となっている。
【００２３】
管体Ｐに通水を開始すると、その水圧によって筒体シール部材４が上向きに移動し筒体シール押さえ部材５の下端に当接し、その当接力によって図２（ｂ）に示すように扁平状に変形する。すると、筒体シール部材４が、筒体止水部本体３及び筒体２の両方に強く密接する（同図中の左右向き矢印を参照）。このように筒体シール部材４と、筒体止水部本体３及び筒体２とを密接させることにより、高い水密性を確保することができる。
【００２４】
筒体シール部材４で、主として筒体止水部１の上部からの漏水を防止する一方で、フランジパッキン６で、主として筒体止水部１の下部からの漏水を防止する。このように、筒体シール部材４とフランジパッキン６を併用することによって、筒体止水部１における水密性を一層向上することができる。なお、筒体シール部材４のみで十分な水密性が確保できる場合は、フランジパッキン６を用いない構成とすることもできる。
【００２５】
この発明に係る止水機構を構成するケーブル止水部１１の一例を図３に、その分解斜視図を図４にそれぞれ示す。このケーブル止水部１１は、調査器具ＥのケーブルＣを水密性を確保しつつ筒体２から引き出すためのものであって、ケーブル止水部本体１２と、ケーブルシール部材１３と、ケーブルシール押さえ部材１４と、ケーブルパッキン１５とを備えている。ケーブル止水部本体１２及びケーブルシール押さえ部材１４は、軸心を含む垂直面によって丁度二分割されている。ケーブルＣの先端に設けられた調査器具Ｅは、このケーブルＣの径よりも大径であるのが一般的である。このようにケーブル止水部本体１２等を二分割しておけば、調査器具Ｅを筒体２内に送り込んだ後にこの分割されたケーブル止水部本体１２等を一体にして、ケーブルＣをケーブル止水部１１から引き出すことができる。なお、この分割数は適宜変更することができ、例えば三分割としても同様の作用を発揮する。
【００２６】
ケーブル止水部本体１２は、固定ねじ１６を用いて環状のシール部材１７を介してフランジ１８にねじ止めされる。ケーブルシール押さえ部材１４には、二分割されたワッシャー１９が９０度回転させた状態で宛がわれた上で、ケーブル止水部本体１２に調節ねじ２０でねじ止めされる。
【００２７】
ケーブルシール部材１３は、螺旋状をしており、ケーブル止水部本体１２の内面に形成された段差部２１に設けられる。このケーブルシール部材１３の内径（螺旋の巻き内径）はケーブルＣの外径とほぼ同じである。このケーブル止水部１１にケーブルＣを通す際は、ケーブルシール押さえ部材１４をケーブル止水部本体１２に固定する調節ねじ２０を若干緩めておき、このケーブルシール押さえ部材１４とケーブルシール部材１３とが強く当接しないようにしておく。このようにすることによって、ケーブルＣをケーブルシール部材１３にスムーズに通すことができる。
【００２８】
ケーブルＣをある程度送り込んだら、調節ねじ２０を締め付けてケーブル止水部本体１２とケーブルシール押さえ部材１４とをしっかりとねじ止めする。このとき、ケーブルシール部材１３がケーブルシール押さえ部材１４によって押さえ付けられて変形する。すると、その螺旋状の内径が縮径して、ケーブルＣの外径面に強く密接する。このようにケーブルシール部材１３とケーブルＣとを密接させることにより、高い水密性を確保することができる。また、ケーブルＣを送り込みつつ、水密性も確保し得るように、調節ねじ２０の締め付け量を適宜調節することもできる。
【００２９】
ケーブルパッキン１５は、ケーブル止水部１１の受け部２２内に設けられており、このケーブル止水部１１は、ケーブルパッキン１５を介して、受け部２２にボルト２３で固定されている。このケーブルパッキン１５には、その中央にケーブルＣとほぼ同じ径の貫通孔２４が形成されるとともに、この貫通孔２４から外縁部に亘るギザギザ状の切れ込み２５が形成されている。調査器具Ｅをケーブルパッキン１５に通す際にこの切れ込み２５が開いて、ケーブルＣの径よりも大径の調査器具Ｅをスムーズに通す一方で、この調査器具Ｅが通った後は切れ込み２５が閉じて、ケーブルＣを隙間なく貫通孔２４に通すことができる。
【００３０】
ケーブルシール部材１３で、主としてケーブル止水部１１の上部からの漏水を防止する一方で、このケーブルパッキン１５で、主としてケーブル止水部１１の下部からの漏水を防止する。このように、ケーブルシール部材１３とケーブルパッキン１５を併用することによって、ケーブル止水部１１における水密性を一層向上することができる。
【００３１】
この実施形態においては、フランジ１８の凹部の深さｔ１とケーブル止水部本体１２のフランジの厚みｔ２はほぼ同じである。このため、ケーブル止水部本体１２とフランジ１８との間に厚みがｔ３のシール部材１７が介することにより、ケーブル止水部本体１２とフランジ１８の下面に高さがｔ４の段差が生じる。この段差によって、ケーブルパッキン１５の径方向の幅中心よりも内径側で、このケーブルパッキン１５にケーブル軸方向の強い押圧力が作用する。このように内径側で強い押圧力が作用すると、ケーブルパッキン１５の変形量がこの内径側で特に大きくなり、このケーブルパッキン１５の貫通孔２４の内径面と、ケーブルＣの外周面との密接度合いが一層高まる。さらに、この押圧力によりケーブルパッキン１５の切れ込み２５が閉じる作用も期待でき、ケーブル止水部１１における止水作用が向上する。また、同図中には示していないが、ケーブル止水部本体１２の対向する分割面にゴム等の止水部材を挟み込むことにより、その止水作用が一層高まることも期待できる。
【００３２】
なお、ケーブルパッキン１５のみで十分な水密性が確保できる場合は、ケーブルシール部材１３を用いない構成とすることもできる。
【００３３】
この発明に係る止水機構を構成するケーブル止水部１１の他例を図５に示す。このケーブル止水部１１は、シール部材１７を用いない代わりに、受け部２２の上面のケーブルＣを通す貫通孔寄りに、高さがｔ５の段差を形成した点において図３等に示したものと異なる。このように段差を形成することによっても、ケーブルパッキン１５の内径側でケーブル軸方向の強い押圧力を作用させることができ、上記と同様に、ケーブル止水部１１における止水作用を一層高めることができる。
【００３４】
この発明に係る止水機構を構成するケーブル止水部１１のさらに他例を図６に示す。ボルト２３のねじ込みのみによってケーブルパッキン１５に強い押圧力を作用させて止水作用を発揮し得るのであれば、同図のように、シール部材１７を用いたり、受け部２２に段差を形成したりしない構成ももちろん採用することができる。
【００３５】
上記の各実施形態のようにケーブルシール部材１３を螺旋状とする代わりに、筒体シール部材４と同様に、切れ目のない環状のものを用いることもできる。ケーブルシール押さえ部材１４によるケーブルシール部材１３の押さえ付けによって、上述したのと同様に、高い水密性を確保することができるためである。
【００３６】
上記実施形態として、ケーブル止水部本体１２等を分割した態様について示したが、ケーブルＣの外径と、調査器具Ｅの部分の外径がほぼ同一の場合は、これらを分割した態様とする必要はない。ケーブル止水部本体１２等に形成された貫通孔を通して、調査器具Ｅをスムーズに筒体２内に送り込むことができるためである。
【００３７】
止水機構として、筒体止水部１とケーブル止水部１１の両方を採用した検査装置全体の外観を図７に示す。消火栓等の給水設備を接続する管体Ｐ（Ｔ字管）には仕切り弁２６が設けられ、この仕切り弁２６に、排水フランジ８を介して筒体止水部１が設けられる。この仕切り弁２６、排水フランジ８、筒体止水部１を貫通するように、筒体２が同軸に挿し込まれる。この筒体止水部１によって、排水フランジ８と筒体２との間の水密性が確保される。この筒体２の上端側には、ケーブル止水部１１が設けられ、このケーブル止水部１１でケーブルＣと筒体２との間の水密性が確保されるとともに、このケーブルＣが筒体２の外部に引き出される。筒体２の挿し込みは、ケーブル止水部１１側に固定された挿入用ハンドル２７に設けられたレバーブロック２８を操作して、排水フランジ８側に挿入用ハンドル２７を引き寄せることによって行われる。
【００３８】
この検査装置においては、止水機構として、筒体止水部１とケーブル止水部１１の両方を採用した態様について示したが、いずれか一方の止水部を採用した態様とすることもできる。
【符号の説明】
【００３９】
１  筒体止水部
２  筒体
３  筒体止水部本体
４  筒体シール部材
５  筒体シール押さえ部材
６  フランジパッキン
７  段差部
８  排水フランジ（本管側のフランジ）
９  ボルト
１０  調節ねじ
１１  ケーブル止水部
１２  ケーブル止水部本体
１３  ケーブルシール部材
１４  ケーブルシール押さえ部材
１５  ケーブルパッキン
１６  固定ねじ
１７  シール部材
１８  フランジ
１９  ワッシャー
２０  調節ねじ
２１  段差部
２２  受け部
２３  ボルト
２４  貫通孔
２５  切れ込み
２６  仕切り弁
２７  挿入用ハンドル
２８  レバーブロック
Ｃ  ケーブル
Ｅ  調査器具
Ｐ  管体
【図１】
0005455077.tif 000002
【図２】
0005455077.tif 000003
【図３】
0005455077.tif 000004
【図４】
0005455077.tif 000005
【図５】
0005455077.tif 000006
【図６】
0005455077.tif 000007
【図７】
0005455077.tif 000008